(57)【要約】【課題】構造が比較的簡易であり、製造コストを低く抑えることができる、黒板のチョーク入れを提供する。【解決手段】黒板の下縁に取り付ける取付板１２と、該取付板１２に対して引き出し可能に設けられるボックス１３とから構成され、前記取付板１２の両端部は、長溝２０が形成されたサイド部材１５をそれぞれ有し、前記ボックス１３の両側部１３ｂ、１３ｂは、前記長溝２０に沿って摺動する凸条部２２がそれぞれ形成されている黒板のチョーク入れ１１である。【選択図】      図２
0003126124.tif 000002
【実用新案登録請求の範囲】
【請求項１】
黒板の下縁に取り付ける取付板と、該取付板に対して引き出し可能に設けられるボックスとから構成され、
前記取付板の両端部は、長溝が形成されたサイド部材をそれぞれ有し、
前記ボックスの両側部は、前記長溝に沿って摺動する凸条部がそれぞれ形成されていること
を特徴とする黒板のチョーク入れ。
【請求項２】
前記長溝の挿入口近傍には、凸片が設けられており、
前記凸条部の先端部近傍には、前記凸片に当接可能なストッパー部が設けられていること
を特徴とする請求項１に記載の黒板のチョーク入れ。
【請求項３】
前記ボックスには、底部が格子状に形成されたチョーク受け部材が設けられていること
を特徴とする請求項１に記載の黒板のチョーク入れ。
【考案の詳細な説明】
【技術分野】
【０００１】
本考案は、黒板の下縁に設けられるチョーク入れに関するものである。
【背景技術】
【０００２】
従来のチョーク入れとしては、次のような構成のものが知られている。このチョーク入れは、フレームと、このフレームに出し入れ可能なチョーク収納部とを有し、フレームの両サイドとチョーク収納部の両端部とには、それぞれ円弧状のレールが設けられている。そして、レールに係合してチョーク収納部を引き出す方向に付勢するねじりバネと、チョーク収納部の押し込み状態をロックする開閉機構とを備えている（特許文献１参照）。
【０００３】
このような構成のチョーク入れは、チョーク収納部を奥まで押し込むと開閉機構が作動してロック状態が維持される。また、チョーク収納部をさらに少し押し込むとロック状態が解除される。そして、ねじりバネの付勢力によってチョーク収納部が自動的に引き出される。
【特許文献１】実用新案登録第３０９０００１号公報
【考案の開示】
【考案が解決しようとする課題】
【０００４】
この従来例のチョーク入れにおいては、チョーク収納部を引き出す方向に付勢するねじりバネや、チョーク収納部の開閉機構などを備えるので、構造が複雑で故障するおそれも有り、更には製造コストが高いという欠点を有している。
【０００５】
従って、従来例におけるチョーク入れにおいては、構造を簡易にして、製造コストを低く抑えることに解決しなければならない課題を有している。
【課題を解決するための手段】
【０００６】
前記従来例の課題を解決する具体的手段として本考案は、黒板の下縁に取り付ける取付板と、該取付板に対して引き出し可能に設けられるボックスとから構成され、前記取付板の両端部は、長溝が形成されたサイド部材をそれぞれ有し、前記ボックスの両側部は、前記長溝に沿って摺動する凸条部がそれぞれ形成されていることを特徴とする黒板のチョーク入れを提供するものである。
【０００７】
また、前記長溝の挿入口近傍には、凸片が設けられており、前記凸条部の先端部近傍には、前記凸片に当接可能なストッパー部が設けられている構成としたものであり、更に、前記ボックスには、底部が格子状に形成されたチョーク受け部材が設けられている構成としたものである。
【考案の効果】
【０００８】
本考案に係る黒板のチョーク入れは、黒板の下縁に取り付ける取付板と、該取付板に対して引き出し可能に設けられるボックスとから構成され、前記取付板の両端部は、長溝が形成されたサイド部材をそれぞれ有し、前記ボックスの両側部は、前記長溝に沿って摺動する凸条部がそれぞれ形成されていることによって、構造が比較的簡易であり、製造コストを低く抑えることができるという優れた効果を奏する。
【０００９】
また、長溝の挿入口近傍には、凸片が設けられており、前記凸条部の先端部近傍には、前記凸片に当接可能なストッパー部が設けられていることによって、ボックスを引き出したときにストッパー部が凸片に当接するので、ボックスが抜け落ちないという優れた効果を奏する。
【００１０】
更に、ボックスには、底部が格子状に形成されたチョーク受け部材が設けられていることによって、底部の格子同士の間にチョークを載置できるので、チョークを指でつかみ易く、取り出しが簡単である。また、チョーク粉が底部からボックスに落下するので、チョーク粉の集塵が容易である。更に、チョーク粉が下に落下することにより、チョークとチョーク粉とが分離するので結果的に指が汚れないという種々の優れた効果を奏する。
【考案を実施するための最良の形態】
【００１１】
次に、本考案の実施の形態について図面を参照しながら説明する。まず、図１及び図２において、符号１１は黒板のチョーク入れを示し、このチョーク入れ１１は、黒板の下縁に取り付ける取付板１２と、この取付板１２に対して引き出し可能に設けられるボックス１３とから構成される。
【００１２】
取付板１２は、図３に示すように、矩形状の板部材１４と、この板部材１４の両端部にそれぞれ設けられるサイド部材１５とからなる。サイド部材１５の両端部、即ち、取付板１２の四隅には、それぞれネジ孔１６が形成されており、このネジ孔１６の下部から、図示しないネジを螺入して黒板の下縁にネジ止めできるようになっている。
【００１３】
また、サイド部材１５の内側には、図４に示すように、所定の間隔を開けて長壁１７、１７が設けられている。この長壁１７、１７の一端側はやや開拡して挿入口１８が形成されており、他端側はＵ字状部１９が形成されている。また、長壁１７と長壁１７との間には、長溝２０が形成されている。更に、挿入口１８の上部には、凸片２１が形成されている。
【００１４】
ボックス１３は、図５及び図６に示すように、上部１３ａが開放されて略箱形に形成されており、その両側部１３ｂ、１３ｂには、それぞれ所定長さの凸条部２２が形成されている。また、凸条部２２の先端部の上部には、ストッパー部２３が設けられている。
【００１５】
このようなボックス１３は、取付板１２に対して押し込んだとき又は引き出したときに、凸条部２２が長溝２０に沿って摺動した状態で移動する。また、ボックス１３を引き出したときには、ストッパー部２３が凸片２１に当接してストップするので、ボックス１３が抜け落ちない。
なお、図５及び図６中の符号３０は、凸条部２２の下部に設けられた段部を示す。
【００１６】
更に、ボックス１３には、図５に示すように、チョーク受け部材２４が取り外し自在に設けられている。このチョーク受け部材２４は、底部２５が格子状に形成され、上部２６が開放されて略箱形に形成されている。底部２５の格子同士の間隔は、チョークの太さよりもやや短めに形成されている。なお、底部２５の格子は、縦方向、又は横方向の他、縦横両方向の網目状に形成されてもよい。
【００１７】
チョーク受け部材２４の一方の側面板２７の上部は、外側に湾曲して係止部２８が形成されている。そして、係止部２８がボックス１３の一方の側面板２９の上端部２９ａに係止している。また、底部２５と、ボックス１３の底部との間は、隙間が設けられるように構成されている。
【００１８】
このようなチョーク受け部材２４は、底部２５の格子同士の間にチョークを載置できるので、チョークを指でつかみ易く、取り出しが簡単である。また、チョーク粉が底部２５からボックス１３に落下するので、チョーク粉の集塵が容易である。更に、チョーク粉が下に落下することにより、チョークとチョーク粉とが分離するので、結果的に指が汚れないという利点がある。
【００１９】
以上のような構成の黒板のチョーク入れ１１は、図７に示すように、黒板３１の下縁３２に取り付けて使用されるものである。この黒板のチョーク入れ１１は、従来例に比べて構造が比較的簡易であり、製造コストを低く抑えることができる利点を有する。
【図面の簡単な説明】
【００２０】
【図１】本考案に係る黒板のチョーク入れ１１の斜視図である。
【図２】本考案に係る黒板のチョーク入れ１１の、ボックス１３を引き出した状態の斜視図である。
【図３】取付板１２の斜視図である。
【図４】サイド部材１５の長壁１７及び長溝２０を説明するための、取付板１２の断面図である。
【図５】ボックス１３とチョーク受け部材２４とを分離して示した斜視図である。
【図６】ボックス１３の側面図である。
【図７】チョーク入れ１１が取り付けられている黒板３１の斜視図である。
【符号の説明】
【００２１】
１１  黒板のチョーク入れ
１２  取付板
１３  ボックス
１３ａ上部
１３ｂ側部
１４  板部材
１５  サイド部材
１６  ネジ孔
１７  長壁
１８  挿入口
１９  Ｕ字状部
２０  長溝
２１  凸片
２２  凸条部
２３  ストッパー部
２４  チョーク受け部材
２５  底部
２６  上部
２７  側面板
２８  係止部
２９  側面板
２９ａ上端部
３０  段部
３１  黒板
３２  下縁
【図１】
0003126124.tif 000003
【図２】
0003126124.tif 000004
【図３】
0003126124.tif 000005
【図４】
0003126124.tif 000006
【図５】
0003126124.tif 000007
【図６】
0003126124.tif 000008
【図７】
0003126124.tif 000009